(57)【要約】【課題】  精米された白米を取出すための白米ホッパのシャッタ部が袋詰め等のために露出されているために、このシャッタを開けて白米ホッパ内へ異物を投入したり、このシャッタ部に白米残留米が残されることがある。【解決手段】  コイン精米機において、前記白米ホッパ４の取出口５を開閉する白米ホッパシャッタ６を閉鎖状態に固定するシャッタロック機構７を設けると共に、このシャッタロック機構７は、前記コインメック２に対する精米料金の投入の後ちこの白米ホッパシャッタ６の閉鎖ロックを解除し、精米運転の終了後、白米ホッパシャッタ6の開操作を検出後、所定時間の経過後ろに前記閉鎖ロックする白米取出シャッタの構成とする。【選択図】  図４
2012011276.tif 000002
【特許請求の範囲】
【請求項１】
投入ホッパ（１）に玄米を供給しコインメック（２）に精米料金を投入することによって、この玄米を精米装置（３）へ搬送供給して選定の白度に精米して白米ホッパ（４）に排出するコイン精米機において、前記白米ホッパ（４）の取出口（５）を開閉する白米ホッパシャッタ（６）を閉鎖状態に固定するシャッタロック機構（７）を設けると共に、このシャッタロック機構（７）は、前記コインメック（２）に対する精米料金の投入後、この白米ホッパシャッタ（６）の閉鎖ロックを解除し、精米運転の終了後、且つ白米ホッパシャッタ（６）の開操作を検出後、所定時間の経過後に前記閉鎖ロックすることを特徴とするコイン精米機。
【請求項２】
前記精米運転の終了後は、白米ホッパシャッタ（６）の開操作を検出するまでの間は、前記精米運転の終了後の所定時間の経過後においてもシャッタロック機構（７）をロックしないことを特徴とする請求項１に記載のコイン精米機。
【請求項３】
前記白米ホッパシャッタ（６）は、シュート状形態として内部に白米ホッパ（４）の取出口（５）をのぞませると共に、この取出口（５）から流下する白米を受け留めて、シャッタ軸（８）周りに上下に回動して前記取出口（５）を開閉可能の構成とし、この白米ホッパシャッタ（６）の正面に透視窓（９）を設けたことを特徴とする前記請求項１、又は請求項２に記載のコイン精米機。
【発明の詳細な説明】
【技術分野】
【０００１】
この発明は、コイン精米機に関し、白米ホッパに対する異物混入を防止し、精米後の残留白米をなくするものである。
【背景技術】
【０００２】
玄米を供給する玄米ホッパの供給口にシャッタを設け、このシャッタを不要時には閉鎖保持するロック機構を設けて、シャッタを開いて玄米ホッパに異物を投入することを防止する技術（例えば、特許文献１参照）が知られている。
【先行技術文献】
【特許文献】
【０００３】
【特許文献１】特許第４０３３７１７号公報（第８頁、９頁、図３、図４）。
【発明の概要】
【発明が解決しようとする課題】
【０００４】
精米された白米を取出すための白米ホッパのシャッタ部が袋詰め等のために露出されているために、このシャッタを開けて白米ホッパ内へ異物を投入したり、このシャッタ部に白米残留米が残されることがある。この発明は、精米運転を行っていないときの、このシャッタ部から白米ホッパへの異物の混入等を、簡単な構成によって防止するものである。
【課題を解決するための手段】
【０００５】
請求項１に記載の発明は、投入ホッパ１に玄米を供給しコインメック２に精米料金を投入することによって、この玄米を精米装置３へ搬送供給して選定の白度に精米して白米ホッパ４に排出するコイン精米機において、前記白米ホッパ４の取出口５を開閉する白米ホッパシャッタ６を閉鎖状態に固定するシャッタロック機構７を設けると共に、このシャッタロック機構７は、前記コインメック２に対する精米料金の投入後、この白米ホッパシャッタ６の閉鎖ロックを解除し、精米運転の終了後、且つ白米ホッパシャッタ６の開操作を検出後、所定時間の経過後に前記閉鎖ロックすることを特徴とする白米ホッパシャッタの構成とする。
【０００６】
コイン精米機は、利用者が所定量の玄米を持込んで、コインメック２にこの玄米量の精米に相当する所定の精米料金を投入して、玄米を投入ホッパ１に供給すると共に、精米白度を選定する等によって精米作用が開始される。このような精米運転によって精米された白米は、精米装置３から排出されて白米ホッパ４に排出して収容される。このとき、この白米ホッパ４の取出口５は白米ホッパシャッタ６が閉鎖されているが、このシャッタロック機構７は、前記精米料金の投入によって閉鎖ロックを解除された状態にある。このため、精米によって白米ホッパ４に排出された白米を、この白米ホッパシャッタ６を開いて取出口５に取付けて用意した袋に取出収容することができる。
【０００７】
このようにして所定時間の精米運転作用が終ると、白米は全て精米装置３から排出されて白米ホッパ４に収容されているため、この白米ホッパシャッタ６の開き操作によって全ての白米を袋詰処理することができる。そして、前記精米運転の終了の後で且つ白米ホッパシャッタ６の開動作を行なって白米を取り出した後に、所定時間の経過することによって白米ホッパシャッタ６を閉鎖してシャッタロック機構７を閉鎖ロック作動させて、白米ホッパシャッタ６を開くことができないように閉鎖ロックする。
【０００８】
請求項２に記載の発明は、前記精米運転の終了後は、白米ホッパシャッタ６の開操作を検出するまでの間は、前記精米運転の終了後の所定時間の経過後においてもシャッタロック機構７をロックしない構成とする。
【０００９】
前記のように白米ホッパ４に排出された白米は、この白米ホッパシャッタ６を開くことによって、取出口５から白米を取出すことができるが、このような白米取出のための白米ホッパシャッタ６の開き操作が行われないままで、前記精米運転の終了後の所定時間が経過したときは、このシャッタロック機構７を閉鎖ロックしないで、白米ホッパシャッタ６を開いて白米を取出できる状態にする。
【００１０】
請求項３に記載の発明は、前記白米ホッパシャッタ６は、シュート状形態として内部に白米ホッパ４の取出口５をのぞませると共に、この取出口５から流下する白米を受け留めて、シャッタ軸８周りに上下に回動して前記取出口５を開閉可能の構成とし、この白米ホッパシャッタ６の正面に透視窓９を設ける。
【００１１】
前記のようなシャッタロック機構７の閉鎖ロックを受けながら白米ホッパ４の取出口５を開閉する白米ホッパシャッタ６は、シャッタ軸８の周りに上下回動するシュート状形態であり、この取出口５流下する白米を受け留めることができるように、この白米ホッパ４の取出口５をのぞませて構成するものであるから、この白米ホッパシャッタ６を開いたとしても、取出口５から白米ホッパ４内への異物の投入は難しく、白米取出時は下方傾斜に回動して、袋詰操作を行い易くする。しかも、この白米ホッパシャッタ６が適宜深さのシュート状形態であっても、正面の透視窓９から、この白米取シャッタ６の内部を見易くして、残留米等の有無を確認し易くする。
【発明の効果】
【００１２】
請求項１に記載の発明は、精米装置３で精米された白米を収容する白米ホッパ４の取出口５には、精米料金の投入によって閉鎖ロックを解除される白米ホッパシャッタ６のシャッタロック機構７を設けるものであるから、精米運転に伴って取出される白米ホッパ４の精白米は、この白米ホッパシャッタ６を開くことによって、取出口５から白米を取出すことができ、又、この精米運転の終了後は、所定時間の経過後においてこのシャッタロック機構７を閉鎖ロックして、この白米ホッパシャッタ６を閉めて白米ホッパ４内への異物の投入を防止することができる。
【００１３】
請求項２に記載の発明は、前記のように白米ホッパ１の取出口５を開閉する白米ホッパシャッタ６は、シャッタロック機構７の規制を受けて作動されるもので、精米料金の投入によって閉鎖ロックが解除されて、白米ホッパ１内の白米を取出すことができるようになるが、この精米運転が終了すると所定時間の経過後に閉鎖ロックが行われて、白米ホッパ１内部の白米を取出すことができなくなる。しかしながら、精米運転を終了した後であっても、白米ホッパシャッタ６の開操作を検出していないときは、白米ホッパ１内には白米が取出されないまま残留してあるため、このシャッタロック機構７を閉鎖ロックしないで、白米ホッパシャッタ６を開き操作して白米の取出を行うことができる。
【００１４】
請求項３に記載の発明は、白米ホッパ４の取出口５をのぞませる白米ホッパシャッタ６がシュート状形態にしてシャッタ軸８の周りに上下回動操作されるものであるから、白米ホッパ４の外側部で、取出口５の下側部に設けられて構成が簡単であり、白米ホッパシャッタ６の内部を透視窓９から見易くして、異物が投入されていても取出し易い形態として、取出白米を袋詰作業するときは、的確で容易なシュート供給を行わせることができる。
【図面の簡単な説明】
【００１５】
【図１】コイン精米機の外観正面図と、外観側面図。
【図２】コイン精米機の内部の正面図。
【図３】コイン精米機の玄米ホッパ部側から見た内部の側面図。
【図４】コイン精米機の精米機側から見た内部の側面図。
【図５】白米ホッパシャッタ部の平面図と、側面図。
【図６】ブロック図
【図７】フローチャート
【図８】フローチャート
【図９】フローチャート
【図１０】フローチャート
【図１１】側面から見た糠室の内部を説明する図
【図１２】正面から見た糠室の内部を説明する図
【図１３】糠室の作業を示す図
【発明を実施するための形態】
【００１６】
図面に基づいて、箱型筐体１０の内部に、精米装置３を主体とする揚穀機１１や、石抜機１２、投入ホッパ１、白米ホッパ４、除糠用のサイクロン１３、及びこれらに付随するコンベアや、モータ等が配置される。筐体１０内は、左右に区切られて、この左手側には機械室１５を、又、右手側には糠室１６を形成する。機械室１５には、石抜機１２を設置し、この上側に投入ホッパ１を位置させる玄米供給室１８を形成する。この玄米供給室１８の正面には供給口１９を形成して、この供給口１９から持込みの玄米袋をのぞませて玄米を投入ホッパ１に供給する。この投入ホッパ１の上面には手で開閉できる投入ホッパ扉２０を設け、閉鎖状態をロック機構Ｒによってロック可能の構成としている。この投入ホッパ１には供給された玄米や、又は玄米量等を検出する玄米センサ１ａや、この投入ホッパ１から直下の石抜機１２へ玄米を流下供給させる玄米供給口２１を設ける。
【００１７】
石抜機１２の側方に配置する精米装置３の上方に精米ホッパ２２を設けて、揚穀機１１で揚穀した玄米を収容して精米装置３へ一定量供給する。又、この精米装置３の正面側には機外へ開放する取出口２３を形成して、この取出口２３の下部に白米ホッパ４を設けて、この白米ホッパ４上に精米装置３の精米口２４をのぞませて、この精米口２４から排出される白米を白米ホッパ４内に受けて収容する。
【００１８】
この白米ホッパ４の下端には取出口５を下向きに開口して、この取出口５の下側を受けるようにシュート状に形成した白米ホッパシャッタ６をシャッタ軸８周りに回動して、前後水平状の閉鎖位置から、前下り傾斜して開口する開口位置へ切替回動するように構成している。この白米ホッパシャッタ６は、適宜の深さに形成する。白米ホッパ４の正面側のカバー２５には透明なガラス等を敷設の透視窓９を形成し、このカバー２５の下側を開口２６して、シャッタ底面２７で受けた白米をこの開口２６から袋ホルダ２８吊下げた袋に流下させて収容することができる。
【００１９】
白米ホッパシャッタ６が上方へ回動して取出口５を閉鎖しているときは、カバー２５の上端縁が上側の精米口２４との間の間隔を生じないように閉鎖状態にあるが、この白米ホッパシャッタ６の内部は正面の透視窓９から透視することができる。
【００２０】
白米ホッパシャッタ６の近傍にはロック状態を維持・解除するシャッタロック機構７を設けている。
白米ホッパ４から上側部には、操作パネル２９を形成し、この操作パネル２９の外側には、コインメック２や、精米白度を選択指定する白度選択スイッチ３０等が配置され、裏側にコントローラが設けられている。    右手側の糠室１６には、前記精米装置３底部のブロワー３１で搬送される糠をサイクロン１３で分離して、この下側に配置の籾袋３２に収容する。この糠袋３２は複数袋前後に配置してサイクロン１３から補集された糠を収容することができ、各糠袋３２が一杯になると、正面のドア３３を開けて出し入れして袋替作業することができる。
【００２１】
なお、本実施例のロック機構Ｒやシャッタロック機構７のロック構造自体は周知の構成である。
次に本実施例のコイン精米機の運転について図７に基づいて説明する。
【００２２】
コイン精米機を使用して精米を行うときは、所定量の玄米を持込んで、この玄米量に応じた精米料金をコインメック２に投入する。精米料金を投入するまでは、投入ホッパ１の投入ホッパ扉２０のロック機構Ｒが閉鎖ロックされている。前記精米料金を投入（ステップＳ１）することによって、前記ロック機構３４の閉鎖ロックを解除する。そしてこれら投入ホッパ扉、及び玄米供給不蓋２０を開いて、供給口１９から玄米ホッパ１に玄米を投入する。この投入ホッパ１に対する玄米の供給が行われ、利用者により前記投入ホッパ扉２０が閉鎖されて、この投入ホッパ扉２０のロック機構Ｒが閉鎖ロックされる。このように、投入ホッパ１に玄米を供給したときは、投入ホッパ扉２０が閉鎖されて、ロック機構Ｒがかかるため、この投入ホッパ１から異物を投入することはできない状態となる。
【００２３】
投入ホッパ１に玄米を供給して、精白度選択スイッチ３０を操作すると（Ｓ２）、各部のモータ３７を駆動して精米運転が開始される。これと同時に白米ホッパ４の白米ホッパシャッタ６がシャッタロック機構７によって閉鎖ロックの状態に維持されていたものが、この閉鎖ロックを解除される。そして、この精米運転によって、前記投入ホッパ１に供給した玄米が繰出搬送されて石抜機１２で石抜選別されて、精米装置３で精米される。この精米は除糠作用を受けて白米として精米口２４から白米ホッパシャッタ６の閉鎖された白米ホッパ４に流下収容される。この精米運転が、前記供給された精米料金に応じた時間にわたって行われて、この運転時間が経過すると、石抜機１２や、精米装置３、及び揚穀機１１等各部装置を自動停止する。
【００２４】
前記精米運転が行われた後に白米ホッパ４に取出された白米を、この取出口５にのぞませた袋に収容するために、この白米ホッパ４の白米ホッパシャッタ６を開操作する。この白米ホッパシャッタ６を水平状に回動させて取出口５の下端縁を閉鎖するときは、この白米ホッパ４の取出口５底がこの白米ホッパシャッタ６のシャッタ底面２７によって閉鎖されて、白米の流出袋詰供給を行うことができない。この閉鎖状態にある白米ホッパシャッタ６内部の白米の有、無等を知るときは、このシャッタカバー２５の正面に形成される透視窓９からのぞいて見ることができる。
【００２５】
前記白米ホッパシャッタ６を開いたときは、開閉センサ３８によって検出していて（Ｓ３）、この白米ホッパシャッタ６が開かれてから所定時間（例えば１５分）を経過したときは、もはや白米ホッパ４の白米は全て取出されたものとして、この白米ホッパシャッタ６のシャッタロック機構７を閉鎖ロックして開かないようにする。又、精米運転開始後白米ホッパ４の白米取出が一度も行われないときは（Ｓ４）、前記シャッタロック機構７は閉鎖ロックを解除したままの状態に維持して、前記所定時間の経過に拘らずいつでも白米ホッパシャッタ６を開いて白米の袋詰取出を行うことができる。
【００２６】
又、この白米ホッパシャッタ６の閉鎖状態では、カバー２５の上端縁が白米ホッパ４の前面に接当、乃至接近していて、殆んど間隙部を形成しない状態にあり、白米ホッパ４の取出口５は、この白米ホッパシャッタ６の内部に覆われた状態にある。
【００２７】
前記白米ホッパシャッタ６をシャッタ軸８の周りに下側へ回動させて、この白米ホッパ４の取出口５を開くことができる。このシャッタ底面２７が取出口５に対して下動して前下りの傾斜になると、これらの間に開口部を形成して、白米ホッパ４内の白米をこの開口部から、前下り傾斜のシャッタ底面２７に流下させて、前下端の開口２６から袋内へ流下される。このような白米ホッパ４、及び白米ホッパシャッタ６等は、精米室１４の下部に位置して前面取出口２３が開放された状態にあっても、前記白米ホッパ４の取出口５がこの外側を覆う白米ホッパシャッタ６で覆われた状態にあり、しかも、精米非運転時はロック機構７によって閉鎖ロックするものであるから、簡単な構成でありながら、袋掛け等の操作を行い易くし、白米ホッパ４に対する異物の投入を防止することができる。
【００２８】
又、前記のような精米運転において、玄米ホッパ４に玄米を投入して、投入ホッパ扉２０の閉鎖ロックが行われると、白度選択スイッチ３０の操作により精米運転が開始されるが、この精米運転の開始によって前記投入ホッパ扉２０の閉鎖ロックを解除するように構成することができる。又、この形態において、ロック機構が閉鎖ロックしていないで、投入ホッパ扉２０の開放状態を検出することによって精米運転を停止し、この投入ホッパ扉２０の閉鎖を検出すると再度精米運転を開始する制御形態とすることも可能である。
【００２９】
次に、主として図８に基づいて別実施例を説明する。
前記精米料金の投入により投入ホッパ扉２０のゲートロックを解除して、玄米の投入を可能とし、この玄米を投入して投入ホッパ扉２０を閉鎖することによって、この投入ホッパ扉２０が閉鎖したことを検出して、この投入ホッパ扉２０の閉鎖ロックする（Ｓ５）。そして、白度選択スイッチ３０の操作により精米運転を開始すると、この供給蓋２０の閉鎖ロックを解除する制御形態としたものである。このとき、投入ホッパ扉２０の閉鎖は精米使用者が行う。このように一旦ゲートロックした投入ホッパ扉２０を、精米開始後に開くことができるため、玄米の投入量を規制することができ、閉鎖ロックを解除するための面倒な対応を要しない。
【００３０】
次に、主として図９に基づいて別実施例を説明する。
玄米を投入ホッパ１に投入して投入ホッパ扉２０を閉鎖すると、コインメック２に対して追加料金を投入することができない（Ｓ６）ように制御構成することができる。しかし、この投入料金に応じた運転時間が経過した後にも、前記投入ホッパ１の玄米センサ３５が玄米の在ることを検出しているときは（Ｓ７）、前記コインメック２のコイン投入拒否を解除して、コイン追加投入を可能として、料金切れによる精米停止を回避できる形態としたものである。
【００３１】
次に、主として図１０に基づいて別実施例について説明する。
前記投入ホッパ扉２０の閉鎖ロックを、石抜機１２の選別停止後にロック解除するように構成したものである。前記のように玄米を投入ホッパ１に投入して、この投入ホッパ扉２０を閉めたことを開閉センサ３９が検出し、ロック機構３４が閉鎖ロックして、白度選択スイッチ３０により精米運転を開始させる制御構成において、この投入ホッパ１に玄米がなくなると（Ｓ８）、石抜機１２の選別砂、礫を排出し、残留玄米を排出して、この石抜機１２の駆動を停止し、前記投入ホッパ扉２０のロック機構３４の閉鎖ロックを解除するように制御する。このような投入ホッパ扉２０のロック解除によって、投入ホッパ１の残米や異物等の残っている場合には精米使用者が対応処理することができる。又、玄米の追加処理されても、この投入ホッパ１からの供給が停止しているため、安定した作業を行うことができる。
【００３２】
又、前記投入ホッパ１の玄米センサ１ａが、玄米の在ることを検出しているときのみ閉鎖ロックを解除できる制御形態とすることができる（Ｓ９）。この場合は、投入ホッパ１に玄米があるときだけ解除することにより、有効な防止機能を働かせ、精米使用者の精米確認を維持させて、精米のトラブルを少くすることができる。
【００３３】
前記のような投入ホッパ扉２０の開閉は、自動で作動する形態とすることができる。前記のように白度選択スイッチ３０を操作することによって投入ホッパ扉１が閉鎖されるが、この投入ホッパ１に玄米が無くなった後に、又は、精米料金の投入にもとづく所定時間経過しても玄米が無くならないとき等のタイミングで開放させることによって、この投入ホッパ１の残留玄米を容易に取出すことができる。
【００３４】
次に、主として図１１〜図１３に基づいて、前記糠室１６における糠袋３２等の容器（フレコン）を複数前後方向に並べて、各フレコン３２の供給口４０をサイクロン１３の収集口４１に連通する前後方向のオーガ筒４２の各排出口４３にのぞませて取付ける。この各フレコン３２の供給口４０をのぞませる排出口４３は、オーガ筒４２の底部に対して前後方向へスライド移動可能に装着される排出樋４４に沿って配置されて、この排出樋４４をオーガ筒４２の底部に沿って、前後方向へ差込み移動することによって搬送オーガを構成することができる。このオーガ筒４２と排出樋４４との左右両側部には前後方向に嵌合して摺動するスライドガイ４５、４６を形成している。各排出口４３にのぞませて配置のフレコン３２は、糠室１６の左右側面に前後水平方向に形成したレール４７に摺動案内させて、正面側のドア３３口を開口することによって、出し入れすることができる。４８は各フレコン３２毎に形成するハンドルである。４９はサイクロン１３の排気口である。
【符号の説明】
【００３５】
１    投入ホッパ
２    コインメック
３    精米装置
４    白米ホッパ
５    取出口
６    白米ホッパシャッタ
７    シャッタロック機構
８    シャッタ軸
９    透視窓
【図１】
2012011276.tif 000003
【図２】
2012011276.tif 000004
【図３】
2012011276.tif 000005
【図４】
2012011276.tif 000006
【図５】
2012011276.tif 000007
【図６】
2012011276.tif 000008
【図７】
2012011276.tif 000009
【図８】
2012011276.tif 000010
【図９】
2012011276.tif 000011
【図１０】
2012011276.tif 000012
【図１１】
2012011276.tif 000013
【図１２】
2012011276.tif 000014
【図１３】
2012011276.tif 000015